(57)【要約】      （修正有）【課題】簡易な構成でロッカー内の商品販売状態の管理を容易に行うことができる自動販売機を提供すること。【解決手段】複数のロッカー４０内にそれぞれ収納された商品を販売することができる自動販売機１であって、ロッカー４０毎に設けられ、各ロッカー４０の扉４１を閉状態にロックするロック機構４３と、ロック機構４３に対してロック状態の開閉指示を行うとともに、ロック機構４３のロック状態をもとに各ロッカー４０に収納された商品の販売状態を管理するロッカー制御部３１と、を備える。すなわち、扉４１の開閉状態のみでロッカー４０内の商品の販売状態を管理する。【選択図】図１
2018163393.tif 000002
【特許請求の範囲】
【請求項１】
複数のロッカー内にそれぞれ収納された商品を販売することができる自動販売機であって、
前記ロッカー毎に設けられ、各ロッカーの扉を閉状態にロックするロック機構と、
前記ロック機構に対してロック状態の開閉指示を行うとともに、前記ロック機構のロック状態をもとに各ロッカーに収納された商品の販売状態を管理する制御部と、
を備えたことを特徴とする自動販売機。
【請求項２】
前記制御部は、商品選択された商品を販売する場合、該商品が収納されたロッカーのロック状態を開にし、該ロッカーを商品売切れ状態として管理することを特徴とする請求項１に記載の自動販売機。
【請求項３】
前記制御部は、商品売切れ状態のロッカー内に商品を補充する場合、該ロッカーへの商品補充後に前記ロック機構を閉にし、閉になった該ロッカーを商品補充状態として管理することを特徴とする請求項１または２に記載の自動販売機。
【請求項４】
前記ロック機構は、扉の開状態後、扉が閉状態になった場合に自動ロックする自動ロック機構であり、
前記制御部は、商品選択された商品を販売する場合、該商品が収納されたロッカーのロック状態を開にし、その後自動ロックで閉状態になった該ロッカーを商品売切れ状態として管理することを特徴とする請求項１に記載の自動販売機。
【請求項５】
前記ロック機構は、扉の開状態後、扉が閉状態になった場合に自動ロックする自動ロック機構であり、
前記制御部は、商品売切れ状態のロッカー内に商品を補充する場合、該ロッカーのロック状態を開にした後、該ロッカーへの商品補充を行い、その後自動ロックで閉状態になった該ロッカーを商品補充状態として管理することを特徴とする請求項１または４に記載の自動販売機。
【発明の詳細な説明】
【技術分野】
【０００１】
本発明は、簡易な構成でロッカー内の商品販売状態の管理を容易に行うことができる自動販売機に関する。
【背景技術】
【０００２】
従来、保管ロッカーを用いて商品を保管するものがある。例えば、特許文献１には、保管ロッカーがネットワークに接続され、サーバによって保管ロッカーの場所、使用可否、保管温度などを管理するものが記載されている。また、特許文献２には、ネットワークを通じて注文した商品をロッカーによって受け取るシステムが記載されている。なお、ロッカーは、各種多様な商品を販売する装置としても利用することができる。
【先行技術文献】
【特許文献】
【０００３】
【特許文献１】特開２００４−２１５３６号公報
【特許文献２】特開２００２−２８８５６２号公報
【発明の概要】
【発明が解決しようとする課題】
【０００４】
ところで、ロッカーを用いた商品販売では、商品売切れ管理を行うため、ロッカー内の商品有無を検出する検出手段を設ける必要があった。しかし、ロッカー内の商品は多種の形状や材質のものが配置されるため、検出手段は、配置されるこれら各種の商品に合わせて検出できる機能をもつことが必要となる。この結果、ロッカー内の商品検出は複雑となり、多種の商品検出が難しいという問題があった。
【０００５】
本発明は、上記に鑑みてなされたものであって、簡易な構成でロッカー内の商品販売状態の管理を容易に行うことができる自動販売機を提供することを目的とする。
【課題を解決するための手段】
【０００６】
上述した課題を解決し、目的を達成するために、本発明にかかる自動販売機は、複数のロッカー内にそれぞれ収納された商品を販売することができる自動販売機であって、前記ロッカー毎に設けられ、各ロッカーの扉を閉状態にロックするロック機構と、前記ロック機構に対してロック状態の開閉指示を行うとともに、前記ロック機構のロック状態をもとに各ロッカーに収納された商品の販売状態を管理する制御部と、を備えたことを特徴とする。
【０００７】
また、本発明にかかる自動販売機は、上記の発明において、前記制御部は、商品選択された商品を販売する場合、該商品が収納されたロッカーのロック状態を開にし、該ロッカーを商品売切れ状態として管理することを特徴とする。
【０００８】
また、本発明にかかる自動販売機は、上記の発明において、前記制御部は、商品売切れ状態のロッカー内に商品を補充する場合、該ロッカーへの商品補充後に前記ロック機構を閉にし、閉になった該ロッカーを商品補充状態として管理することを特徴とする。
【０００９】
また、本発明にかかる自動販売機は、上記の発明において、前記ロック機構は、扉の開状態後、扉が閉状態になった場合に自動ロックする自動ロック機構であり、前記制御部は、商品選択された商品を販売する場合、該商品が収納されたロッカーのロック状態を開にし、その後自動ロックで閉状態になった該ロッカーを商品売切れ状態として管理することを特徴とする。
【００１０】
また、本発明にかかる自動販売機は、上記の発明において、前記ロック機構は、扉の開状態後、扉が閉状態になった場合に自動ロックする自動ロック機構であり、前記制御部は、商品売切れ状態のロッカー内に商品を補充する場合、該ロッカーのロック状態を開にした後、該ロッカーへの商品補充を行い、その後自動ロックで閉状態になった該ロッカーを商品補充状態として管理することを特徴とする。
【発明の効果】
【００１１】
本発明によれば、ロッカー毎に、各ロッカーの扉を閉状態にロックするロック機構を設け、制御部が、前記ロック機構に対してロック状態の開閉指示を行うとともに、前記ロック機構のロック状態をもとに各ロッカーに格納された商品の売切れなどの販売状態を管理するようにしているので、ロッカー側はロック機構のみを設けるという簡易な構成で、しかもロック機構の開閉状態のみという容易な処理でロッカー内の商品販売状態を管理することができる。
【図面の簡単な説明】
【００１２】
【図１】図１は、本発明の実施の形態である自動販売機の全体構成を示すブロック図である。
【図２】図２は、図１に示したロック機構の具体例を示す図である。
【図３】図３は、ロッカー制御部によるロッカー内商品の販売管理制御処理を示すシーケンス図である。
【図４】図４は、ロッカー制御部によるロッカー内商品の商品補充管理制御処理を示すシーケンス図である。
【図５】図５は、ロック機構が、開状態のときに扉の下部がロック機構に近づいたときに自動的に扉を閉状態にロックする自動ロック機構である変形例１の場合における、ロッカー制御部によるロッカー内商品の販売管理制御処理を示すシーケンス図である。
【図６】図６は、変形例１のロッカー制御部によるロッカー内商品の商品補充管理制御処理を示すシーケンス図である。
【図７】図７は、変形例１のロック機構の具体例を示す図である。
【発明を実施するための形態】
【００１３】
以下、添付図面を参照してこの発明を実施するための形態について説明する。
【００１４】
(全体構成)
図１は、本発明の実施の形態である自動販売機１の全体構成を示すブロック図である。図１に示すように、自動販売機１は、自動販売機本体１０と商品販売用ロッカー装置３０とが通信接続されて隣接配置される。
【００１５】
自動販売機本体１０は、自動販売機制御部１１に、コインメカニズム１２、ビルバリデータ１３、リモコン１４、表示操作部１５、本体制御部１６、ロッカー用表示操作部３２が接続される。本体制御部１６は、冷熱装置１７、搬出装置１８を接続する。自動販売機制御部１１は、本体販売制御部２０、金銭処理部２１、表示制御部２２、ロッカー制御部３１を有する。表示操作部１５は、商品選択ボタン２３、表示部２４を有する。
【００１６】
ロッカー用表示操作部３２は、商品販売用ロッカー装置３０側の商品に対する商品選択などの操作及び表示を行うタッチパネルである。表示部２４及びロッカー用表示操作部３２は、それぞれ自動販売機本体１０側及び商品販売用ロッカー装置３０側の商品に関する情報、例えば、販売中、釣銭切れ、準備中、お札中止のほか、投入金額、各種設定時の情報等の各種情報を表示するためのものである。なお、ロッカー用表示操作部３２は、商品販売用ロッカー装置３０の商品選択のみを行い、その他の情報は表示部２４に共通表示するようにしてもよい。
【００１７】
商品販売用ロッカー装置３０は、販売する商品を格納する複数のロッカー４０を有する。各ロッカー４０は、それぞれ開閉可能な透明の扉４１を有し、扉４１が閉じられた状態でも、ロッカー４０内の商品をみることができる。なお、扉４１には扉開閉時の取っ手４２が設けられる。図１では、取っ手４２が扉４１の下部に設けられ、上部にヒンジ機構が設けられて、扉４１の下部側から開閉が可能となっている。各ロッカー４０は、扉４１を閉状態にロックするロック機構４３が設けられている。商品販売時は、購入すべき商品が格納されたロッカー４０のロック機構が開となって扉を開くことが可能となる。
【００１８】
自動販売機本体１０は、金銭処理部２１、コインメカニズム１２、ビルバリデータ１３からなる金銭処理機構を有する。なお、商品販売用ロッカー装置３０による商品販売時には、金銭処理機構を共有する。
【００１９】
冷熱装置１７は、本体制御部１６の制御のもとに、図示しない複数の商品収納庫を設定された冷熱状態に管理するためのものである。冷熱装置１７は、冷却設定された商品収納庫の内部を冷却する一方、加温設定された商品収納庫の内部を加温する。
【００２０】
搬出装置１８は、ラックごとに設けられたベンドソレノイド、売切スイッチを管理するためのものである。本体制御部１６は、自動販売機制御部１１から送信された搬出命令に従ってラックから商品を搬出する。また、搬出装置１８は、ラックに収納された商品のすべてを搬出した場合に売切信号を本体制御部１６にそれぞれ出力する。
【００２１】
本体販売制御部２０は、自動販売機本体１０内に収納された商品の販売に対する制御を行う。表示制御部２２は、本体販売制御部２０の指示のもとに、表示操作部１５内の商品選択ボタン２３、表示部２４に対する表示制御を行う。なお、商品選択ボタン２３は、商品を選択するためのもので、商品見本などと対応するように配置された複数の商品選択ボタンの１つである。商品選択ボタン２３は、ＬＥＤ表示が可能であり、例えば、商品選択前に、金額投入があり、商品購入が可能な商品に対応する場合、点灯表示される。
【００２２】
リモコン１４は、各種設定操作、各種売上データの確認操作を行うためのもので、書込みキーや終了キーなどの操作キーのほか、各種設定データや確認データが表示される液晶表示器を備えている。リモコン１４から設定入力された設定データは、自動販売機制御部１１に送信される。そして、リモコン１４は、自動販売機制御部１１から送信された確認データを受信する。
【００２３】
コインメカニズム１２は、各種硬貨の投入枚数を整理し、自動販売機制御部１１の金銭処理部２１に送信する一方、金銭処理部２１からの指令に従い、各種硬貨を払い出す金銭処理を行うものである。ビルバリデータ１３は、各種紙幣の投入枚数を整理し、自動販売機制御部１１の金銭処理部２１に送信する一方、金銭処理部２１からの指令に従い、各種紙幣を払い出す金銭処理を行うものである。
【００２４】
ロッカー制御部３１は、商品販売用ロッカー装置３０の各ロッカー４０内に収納された商品の販売制御を行う。
【００２５】
なお、各ロッカー４０のロック機構４３は、図２に示すように、係合ピン４４を突没させるアクチュエータである。扉４１を閉状態にするときは、係合ピン４４が扉４１の下部内側に設けた係合リング４５内に挿入される。扉４１を開状態にするときは、係合ピン４４が係合リング４５から抜かれる。なお、図２に示したロック機構４３は、扉４１を閉状態にロックする場合のみ、係合ピン４４を係合リング４５に挿入する。扉４１が開状態では、扉４１の下部は、扉４１の上部のヒンジ機構で自由になるが、扉４１の自重で、閉状態となる。ただし、この場合、ロック機構４３はロックされていない。
【００２６】
（ロッカー制御部３１による販売管理）
ここで、図３に示したシーケンス図を参照して、ロッカー制御部３１によるロッカー４０内商品の販売管理制御について説明する。図３に示すように、ロッカー制御部３１は、入金があって（ステップＳ１０１）、さらにロッカー用表示操作部３２を介して、ロッカー４０内の商品選択が行われる（ステップＳ１０２）と、商品選択されたロッカー４０のロック機構４３に扉開指示を送る（ステップＳ１０３）。
【００２７】
この扉開指示を受けたロッカー４０のロック機構４３は、ロックをはずして扉４１を開状態にする（ステップＳ１０４）。これにより、商品購入者は、扉４１を開にして、商品選択した商品の取出を行う（ステップＳ１０５）。
【００２８】
一方、ロッカー制御部３１は、扉開指示（ステップＳ１０３）によって、ただちに商品販売完了を、例えば金銭処理部２１に通知し（ステップＳ１０６）、釣銭がある場合は釣銭の払出を行わせる。その後、ロッカー制御部３１は、商品販売完了したロッカー４０を商品売切れ状態に更新して（ステップＳ１０７）、販売状態を管理する。
【００２９】
（ロッカー制御部３１による商品補充管理）
つぎに、図４に示したシーケンス図を参照して、ロッカー制御部３１によるロッカー４０内商品の商品補充管理制御について説明する。図４に示すように、商品販売が完了したロッカー４０は、扉４１が開状態であるため、扉４１を開にして商品を補充する（ステップＳ２０１）。この商品補充が完了すると、ロッカー制御部３１はロッカー用表示操作部３２から補充完了を受ける（ステップＳ２０２）。この補充完了は商品補充作業員によって行われる。
【００３０】
ロッカー制御部３１は、補充完了（ステップＳ２０２）を受けると、補充完了したロッカー４０のロック機構４３に扉閉指示を送る（ステップＳ２０３）。
【００３１】
この扉閉指示を受けたロッカー４０のロック機構４３は、扉４１を閉状態にロックする（ステップＳ２０４）。その後、ロッカー制御部３１は、ロック機構４３の扉閉情報を受けて（ステップＳ２０５）、商品補充したロッカー４０の商品売切れ状態を解除して商品補充状態に更新して（ステップＳ２０６）、販売状態を管理する。
【００３２】
［変形例１］
（変形例１のロッカー制御部３１による販売管理）
次に、図５に示したシーケンス図を参照して、ロック機構４３が、開状態のときに扉４１の下部がロック機構４３に近づいたときに自動的に扉４１を閉状態にロックする自動ロック機構である変形例１の場合における、ロッカー制御部３１によるロッカー４０内商品の販売管理制御について説明する。
【００３３】
まず、図５に示すように、ロッカー制御部３１は、入金があって（ステップＳ３０１）、さらにロッカー用表示操作部３２を介して、ロッカー４０内の商品選択が行われる（ステップＳ３０２）と、商品選択されたロッカー４０のロック機構４３に扉開指示を送る（ステップＳ３０３）。
【００３４】
この扉開指示を受けたロッカー４０のロック機構４３は、ロックをはずして扉４１を開状態にする（ステップＳ３０４）。これにより、商品購入者は、扉４１を開にして、商品選択した商品の取出を行う（ステップＳ３０５）。その後、ロック機構４３は、扉４１を自動ロックして扉４１を閉状態にする（ステップＳ３０６）。
【００３５】
一方、ロッカー制御部３１は、ロック機構４３から扉閉情報を受けて（ステップＳ３０７）、商品販売完了を、例えば金銭処理部２１に通知し（ステップＳ３０８）、釣銭がある場合は釣銭の払出を行わせる。その後、ロッカー制御部３１は、商品販売完了したロッカー４０を商品売切れ状態に更新して（ステップＳ３０９）、販売状態を管理する。
【００３６】
（変形例１のロッカー制御部３１による商品補充管理）
つぎに、図６に示したシーケンス図を参照して、変形例１のロッカー制御部３１によるロッカー４０内商品の商品補充管理制御について説明する。図６に示すように、商品販売が完了したロッカー４０は、扉４１が閉状態であるため、ロッカー制御部３１はロッカー用表示操作部３２から補充指示を行う（ステップＳ４０１）。ロッカー制御部３１は、この補充指示を受けて、商品補充すべきロッカー４０のロック機構４３に対して扉開指示を送る（ステップＳ４０２）。
【００３７】
この扉開指示を受けたロッカー４０は、扉４１のロックを解除して開状態にする（ステップＳ４０３）。その後、商品補充が行われ（ステップＳ４０４）、さらに、自動ロックによってロック機構４３は、扉４１を閉状態にロックする（ステップＳ４０５）。
【００３８】
ロッカー制御部３１は、ロッカー４０の扉閉情報を受けて（ステップＳ４０６）、商品補充したロッカー４０の商品売切れ状態を解除して商品補充状態に更新して（ステップＳ４０７）、販売状態を管理する。
【００３９】
なお、上述した変形例１では、扉４１の下部がロック機構４３に近づいたとき閉状態を維持するため、マグネットを用いて扉４１を接合することが好ましい。また、図７に示すように、ドアクローザ５０を用いて確実に開状態から閉状態にロックするようにしてもよい。
【００４０】
図１に示した商品販売用ロッカー装置３０は、１つであったが、複数の商品販売用ロッカー装置３０を自動販売機本体１０に接続するようにしてもよい。この場合、各商品販売用ロッカー装置３０内のロッカー４０の商品選択番号は異なるように設定する。また、上述した実施の形態では、商品販売用ロッカー装置３０は、自動販売機本体１０とは別体で構成していたが、これに限らず、商品販売用ロッカー装置３０を自動販売機本体１０内に設けても良い。また、この場合、自動販売機本体１０は、商品販売用ロッカー装置３０のみによって商品販売をするようにしてもよい。
【符号の説明】
【００４１】
１  自動販売機
１０  自動販売機本体
１１  自動販売機制御部
１２  コインメカニズム
１３  ビルバリデータ
１４  リモコン
１５  表示操作部
１６  本体制御部
１７  冷熱装置
１８  搬出装置
２０  本体販売制御部
２１  金銭処理部
２２  表示制御部
２３  商品選択ボタン
２４  表示部
３０  商品販売用ロッカー装置
３１  ロッカー制御部
３２  ロッカー用表示操作部
４０  ロッカー
４１  扉
４２  取っ手
４３  ロック機構
４４  係合ピン
４５  係合リング
５０  ドアクローザ
【図１】
2018163393.tif 000003
【図２】
2018163393.tif 000004
【図３】
2018163393.tif 000005
【図４】
2018163393.tif 000006
【図５】
2018163393.tif 000007
【図６】
2018163393.tif 000008
【図７】
2018163393.tif 000009